(57)【特許請求の範囲】
【請求項１】
雪止め用の羽根板部若しくは雪止め金具やソーラーパネルや融雪装置やそれらの取付具などの屋根上設置物を取付し得る取付部と、縦葺屋根の立設する重合凸条部に挟持固定可能な固定部とから成る屋根用固定金具において、前記固定部は、前記重合凸条部を挟持可能な左右一対の挟持体間に締付ボルトを架設し、この左右一対の挟持体の対向面の下部の複数箇所に、前記縦葺屋根の重合凸条部の根元部に当接する挟持用突部を各挟持体の対向面の内側に向けてこの対向面より膨出状態に突設し、前記締付ボルトを締付回動若しくは締付ボルトに螺着したナットを締付回動することにより左右一対の挟持体間を狭めて左右の挟持用突部の対向間隔を狭め、この左右の挟持用突部によって前記重合凸条部の根元部を締付挟持するように構成し、この左右の挟持用突部による締付挟持状態の前記固定部が重合凸条部に対して上動した際に、重合凸条部の前記根元部より上方に存するハゼ締め部や嵌合部などの幅広接続部に係止する係止部を、前記挟持用突部の上部に設け、この挟持用突部の、前記縦葺屋根に対して屋根勾配の下方側に配する側部に、この挟持用突部が縦葺屋根の屋根勾配の下方側に移動した際に前記根元部に喰い込む角部を設けたことを特徴とする屋根用固定金具。
【請求項２】
右側の前記挟持体の複数の前記挟持用突部と、左側の前記挟持体の複数の前記挟持用突部とを左右対向位置に設けたことを特徴とする請求項１記載の屋根用固定金具。
【請求項３】
前記挟持用突部の上部を、前記重合凸条部の幅広接続部の下部に対して当接係止可能な水平面若しくは傾斜面に形成して、この水平面若しくは傾斜面を前記係止部としたことを特徴とする請求項１，２のいずれか１項に記載の屋根用固定金具。
【請求項４】
前記挟持体の対向外側面の下部を外方から押圧することで、この挟持体の対向面の下部をこの対向面より膨出するように変形せしめ、この対向面の膨出変形部分を前記挟持用突部としたことを特徴とする請求項１〜３のいずれか１項に記載の屋根用固定金具。
【請求項５】
前記左右一対の挟持体は、二枚の板材を採用して構成すると共に、この二枚の板材の板面を左右対向させて二枚の板材間に前記締付ボルトを架設し、この二枚の板材の夫々の対向板面の下部に前記挟持用突部を突設したことを特徴とする請求項１〜４のいずれか１項に記載の屋根用固定金具。
【発明の詳細な説明】
【技術分野】
【０００１】
本発明は、屋根用の雪止め金具や、屋根上にソーラーパネルなどを設置するための屋根上設置物取付用金具などの屋根用固定金具に関するものである。
【背景技術】
【０００２】
屋根上に固定される金具として、従来から雪止め金具や、ソーラーパネルを設置するための取付金具などが実施されている。これらは屋根の適宜な固定箇所に固定可能な固定部の軒先側の端部に、雪止め機能を有する平板状の羽根板部を設けたり、固定部の上部に雪止め金具やソーラーパネルやこれらの取付具を取付可能な取付部を設けたものが一般的である。
【０００３】
また、この種の屋根用固定金具の前記固定部は、固定する屋根の形式によって色々なタイプが存在するが、縦葺屋根用は、左右一対の挟持体間に締付ボルトを架設し、この左右一対の挟持体の夫々の下端部を対向内側に折曲形成してこの折曲下端部を係止縁部とし、前記締付ボルトに螺着したナットを締付回動することにより前記係止縁部間を対向間隔を狭めて、この左右の係止縁部によって縦葺屋根の立設する重合凸条部を締付挟持して固定する構成となっている（例えば、特許文献１参照。）。
【先行技術文献】
【特許文献】
【０００４】
【特許文献１】特許第３０６２４５８号公報
【発明の概要】
【発明が解決しようとする課題】
【０００５】
上記した縦葺屋根用の固定部を有する屋根用固定金具は、例えば雪止め用の羽根板部を備えたものや雪止め金具を取付けできるものの場合、固定部を固定後（屋根用固定金具を縦葺屋根上に設置固定した後）に羽根板部や雪止め金具に積雪の大きな荷重が加わると、羽根板部が屋根の軒側に倒れようとして棟側に存する固定部を上方へ浮き上がらせようとする強い力が作用することになる。
【０００６】
また、ソーラーパネルを取付けできる金具の場合も、ソーラーパネルが強風に吹き上げられると、やはり固定部を上方へ浮き上がらせようとする強い力が作用することになる。
【０００７】
そして、いずれの場合も、作用する力の大きさによっては、固定部が浮き上がって上方へ抜け外れてしまうのではとの懸念がある。
【０００８】
本発明は、このような懸念を払拭しようとするもので、縦葺屋根に対して極めて強固に固定可能となる画期的な屋根用固定金具を提供するものである。
【課題を解決するための手段】
【０００９】
添付図面を参照して本発明の要旨を説明する。
【００１０】
雪止め用の羽根板部若しくは雪止め金具やソーラーパネル１Ａや融雪装置やそれらの取付具１Ｂなどの屋根上設置物１を取付し得る取付部２と、縦葺屋根Ｒの立設する重合凸条部３に挟持固定可能な固定部６とから成る屋根用固定金具において、前記固定部６は、前記重合凸条部３を挟持可能な左右一対の挟持体７間に締付ボルト９を架設し、この左右一対の挟持体７の対向面８の下部の複数箇所に、前記縦葺屋根Ｒの重合凸条部３の根元部５に当接する挟持用突部11を各挟持体７の対向面８の内側に向けてこの対向面８より膨出状態に突設し、前記締付ボルト９を締付回動若しくは締付ボルト９に螺着したナット10を締付回動することにより左右一対の挟持体７間を狭めて左右の挟持用突部11の対向間隔を狭め、この左右の挟持用突部11によって前記重合凸条部３の根元部５を締付挟持するように構成し、この左右の挟持用突部11による締付挟持状態の前記固定部６が重合凸条部３に対して上動した際に、重合凸条部３の前記根元部５より上方に存するハゼ締め部４Ａや嵌合部などの幅広接続部４に係止する係止部12を、前記挟持用突部11の上部に設け、この挟持用突部11の、前記縦葺屋根Ｒに対して屋根勾配の下方側に配する側部に、この挟持用突部11が縦葺屋根Ｒの屋根勾配の下方側に移動した際に前記根元部５に喰い込む角部25を設けたことを特徴とする屋根用固定金具に係るものである。
【００１１】
また、右側の前記挟持体７の複数の前記挟持用突部11と、左側の前記挟持体７の複数の前記挟持用突部11とを左右対向位置に設けたことを特徴とする請求項１記載の屋根用固定金具に係るものである。
【００１２】
また、前記挟持用突部11の上部を、前記重合凸条部３の幅広接続部４の下部に対して当接係止可能な水平面若しくは傾斜面に形成して、この水平面若しくは傾斜面を前記係止部12としたことを特徴とする請求項１，２のいずれか１項に記載の屋根用固定金具に係るものである。
【００１３】
また、前記挟持体７の対向外側面の下部を外方から押圧することで、この挟持体７の対向面８の下部をこの対向面８より膨出するように変形せしめ、この対向面８の膨出変形部分を前記挟持用突部11としたことを特徴とする請求項１〜３のいずれか１項に記載の屋根用固定金具に係るものである。
【００１４】
また、前記左右一対の挟持体７は、二枚の板材７を採用して構成すると共に、この二枚の板材７の板面を左右対向させて二枚の板材７間に前記締付ボルト９を架設し、この二枚の板材の夫々の対向板面８の下部に前記挟持用突部11を突設したことを特徴とする請求項１〜４のいずれか１項に記載の屋根用固定金具に係るものである。
【発明の効果】
【００１５】
本発明は上述のように構成したから、羽根板部若しくは取付部に取り付けた雪止め金具に積雪の大きな荷重が加わったり、あるいは取付部に取り付けたソーラーパネルなどに強風による大きな吹き上げ力が作用しても、固定部が高い固定強度を発揮して縦葺屋根の重合凸条部に対して上方へ抜け外れることが確固に防止されると共に、縦葺屋根の屋根勾配の下方側へ移動しようとした場合にも強固な抵抗力（位置決め効果）を発揮する極めて実用的で信頼性の高い屋根用固定金具となる。
【００１６】
また、請求項２記載の発明においては、重合凸条部の根元部の左右対向位置を挟持用突部が締付挟持するから、例えば、複数の挟持用突部が根元部に左右から千鳥状に当接して締付挟持するような構成に比べて根元部に変形を生じにくく、従って挟持用突部の根元部への当接状態が確固に維持されて締付挟持状態（固定部の固定状態）が一層強固となる極めて実用性に優れた屋根用固定金具となる。
【００１７】
また、請求項３記載の発明においては、固定部が縦葺屋根の重合凸条部に対して上動しても、係止部としての水平面若しくは傾斜面が重合凸条部の幅広接続部の下部に確実に当接係止して固定部の抜け外れ防止効果が極めて良好に発揮される一層実用性に優れた構成の屋根用固定金具となる。
【００１８】
また、請求項４記載の発明においては、耐変形強度の高い挟持用突部を対向面に備えた挟持体を簡易に設計実現可能となる一層実用性に優れた構成の屋根用固定金具となる。
【００１９】
また、請求項５記載の発明においては、左右一対の挟持体を二枚の板材で設計実現可能である上、締付ボルトも短いものを採用可能であるから、安価な製品を提供可能となる一層実用性に優れた構成の屋根用固定金具となる。
【図面の簡単な説明】
【００２０】
【図１】本実施例を示す斜視図である。
【図２】本実施例を示す側面図である。
【図３】本実施例の使用状態を示す概略説明斜視図である。
【図４】本実施例の使用状態を示す側面図である。
【図５】本実施例の使用状態における、図２のＡ−Ａ線断面図並びに固定部が上動して係止部が重合凸条部の下端部に係止した状態を示すＡ−Ａ線断面図である。
【図６】図２のＢ−Ｂ線断面図である。
【図７】本実施例の挟持用突部を示す部分拡大説明図である。
【発明を実施するための形態】
【００２１】
好適と考える本発明の実施形態を、図面に基づいて本発明の作用を示して簡単に説明する。
【００２２】
左右一対の挟持体７で立設する重合凸条部３を挟むようにして縦葺屋根Ｒ上に固定部６を配置し、左右一対の挟持体７間に架設した締付ボルト９を締付回動若しくはこの締付ボルト９に螺着したナット10を締付回動すると、左右一対の挟持体７間が狭められて挟持体７の対向面８の下部の複数箇所より膨出状態に突設した挟持用突部11の対向間隔が狭められ、この複数の挟持用突部11が重合凸条部３の根元部５に左右から当接し締付挟持して、固定部６（本発明の屋根用固定金具）が縦葺屋根Ｒ上に固定されることになる。
【００２３】
例えば、羽根板部を備えた若しくは取付部２に雪止め金具を取り付けた本金具の場合には、縦葺屋根Ｒ上で雪止め機能を発揮するが、羽根板部若しくは雪止め金具に積雪の大きな荷重が加わると、羽根板部若しくは雪止め金具が縦葺屋根Ｒの軒側に倒れようとして棟側に存する固定部６を上方へ浮き上がらせようとする力が作用することになる。
【００２４】
そして、この力が非常に強いと固定部６（左右一対の挟持体７）が前記重合凸条部３に対して上動してしまう場合があるが、本発明においては、固定部６が上動すると前記挟持用突部11の上部に設けた係止部12が重合凸条部３の上部のハゼ締め部４Ａや嵌合部などの幅広接続部４に係止して、この係止部12が幅広接続部４に係止した位置からは上動できなくなる。
【００２５】
従って、固定部６が重合凸条部３に対して上方へ抜け外れることがない。
【００２６】
また、例えば、取付部２にソーラーパネル１Ａや融雪装置やそれらの取付具１Ｂなどの屋根上設置物１を取付けた本金具の場合には、屋根上設置物１が強風により上方へ吹き上げられると、固定部６を上方へ浮き上がらせようとする力が作用することになるが、このような状況においても上記と同様に固定部６が重合凸条部３に対して上方へ抜け外れることはない。
【００２７】
また、挟持用突部11が縦葺屋根Ｒの屋根勾配の下方側に移動しようとした場合には、この挟持用突部11の、前記縦葺屋根Ｒに対して屋根勾配の下方側に配する側部に設けた角部25が前記根元部５に喰い込むことになり、これが挟持用突部11の屋根勾配の下方側への移動に強固な抵抗力（位置決め効果）を発揮する。
【００２８】
また、例えば、右側の前記挟持体７の複数の前記挟持用突部11と、左側の前記挟持体７の複数の前記挟持用突部11とを左右対向位置に設ければ、重合凸条部３の根元部５の左右対向位置に左右から挟持用突部11が突き合うように当接してこの左右対向位置を挟持用突部11が締付挟持することになる。従って、例えば、複数の挟持用突部11が重合凸条部３の根元部５の左右に千鳥状に当接して締付挟持するような構成に比べて根元部５に変形を生じにくく（根元部５の変形による締付強度の損失がなく）、よって挟持用突部11の根元部５への当接状態が確固に維持されて締付挟持状態が強固となる。
【００２９】
また、例えば、前記挟持用突部11の上部を、前記重合凸条部３の幅広接続部４の下部に対して当接係止可能な水平面若しくは傾斜面に形成して、この水平面若しくは傾斜面を前記係止部12とすれば、固定部６が縦葺屋根Ｒの重合凸条部３に対して上動した際に、水平面若しくは傾斜面である係止部12が重合凸条部３の幅広接続部４の下部に確実に係止して上方への抜け止め作用が極めて良好に発揮されることになる。
【００３０】
また、例えば、前記挟持体７の対向外側面の下部を外方から押圧することで、この挟持体７の対向面８の下部をこの対向面８より膨出するように変形せしめ、この対向面８の膨出変形部分を前記挟持用突部11とすれば、例えば、プレス成形などによって対向面８に挟持用突部11を一体的に備えた挟持体７を構成可能となり、しかも、挟持用突部11が挟持体７の構成素材と一体物で形成されるためにこの挟持用突部11は耐変形強度が高い。
【００３１】
また、例えば、前記左右一対の挟持体７は、二枚の板材７を採用して構成すると共に、この二枚の板材７の板面を左右対向させて二枚の板材７間に前記締付ボルト９を架設し、この二枚の板材の夫々の対向板面８の下部に前記挟持用突部11を突設すれば、二枚の板材７で左右一対の挟持体７を簡易に設計実現可能であり、しかも、前記特許文献１のような一枚の板材をコ字状に折曲形成して締付挟持固定部を構成する場合に比べて、材料コストを削減できると共に、左右幅の小さい固定部６を構成可能となるので、締付ボルト９も短く安価なものを採用可能となる。
【実施例】
【００３２】
本発明の具体的な実施例について図面に基づいて説明する。
【００３３】
本実施例は、雪止め金具やソーラーパネル１Ａや融雪装置やそれらの取付具１Ｂなどの屋根上設置物１を取付し得る取付部２と、縦葺屋根Ｒの立設する重合凸条部３に挟持固定可能な固定部６とから成る屋根用固定金具に係るものである。
【００３４】
具体的には、本実施例の取付部２は、取付ボルト13と、この取付ボルト13に螺着される二個の設置物取付用ナット14とで構成し、この取付ボルト13に螺着した二個の設置物取付用ナット14間に屋根上設置物１を締付挟持固定し得るようにしている。尚、図３〜図５では、取付ボルト13に設置物取付ナット14を利用して取付具１Ｂ（荷台）を取付固定し、この取付具１Ｂにソーラーパネル15を取付固定した場合を示しているが、他の屋根上設置物１を取付することも可能である。
【００３５】
本実施例の固定部６は、挟持体７を左右対向状態に配設し、この左右の板材７間に複数（図面では二本）の締付ボルト９を架設し、この各締付ボルト９にナット10を螺着することで左右の挟持体７を締付ボルト９に対して抜け止め状態に設け、ナット10を締付回動することで左右の挟持体７の対向間隔を狭め得るように構成している。
【００３６】
また、挟持体７は、二枚の横長方形状の金属製板材７で構成し、この板材７の板面を対向させて左右に配設している。従って、挟持体７は、二枚の金属製板材７で足りる構成のため、部品コスト安に設計実現可能であると共に、二枚の板材７の板面を左右に対向させて固定部６を構成するので、この固定部６は、左右幅が実質的に板材７の板厚二枚分程度と非常に小さいものになり、よって締付ボルト９も安価な短いボルトで足りるためにコスト安に固定部６を構成可能となる。
【００３７】
また、この左右一対の挟持体７の夫々の下端部の対向板面８に縦葺屋根Ｒの重合凸条部３の根元部５に当接する挟持用突部11を設けている。即ち、本実施例の固定部６は、ナット10を締付回動して左右一対の挟持体７の挟持体７の対向間隔を狭めることにより、この左右の挟持体７下端部の挟持用突部11を重合凸条部３の薄厚（薄幅）な根元部５の左右両側面に圧接当接させて締付挟持固定する構成としている。
【００３８】
また、この挟持用突部11は、挟持体７の長さ方向に間隔を置いた数箇所（図面では三箇所）に挟持用突部11を設けると共に、右側の挟持体７の複数の前記挟持用突部11と、左側の挟持体７の複数の前記挟持用突部11とを左右対向位置（左右対称位置）に設けている。従って、この片側に複数ずつ設けた挟持用突部11同士が、互いに重合凸条部３の根元部５の左右対向位置の両側面に突き合うように当接して、複数の左右対向位置を強固に締付挟持する構成としている。
【００３９】
この挟持用突部11について図７に基づいて更に詳しく説明する。尚、図７（ａ）は挟持用突部11の部分拡大斜視図、図７（ｂ）は挟持用突部11の部分拡大正断面図、図７（ｃ）は挟持用突部11の部分拡大平面図である。
【００４０】
この各挟持用突部11は、略四角形に膨出する形状としている。
【００４１】
また、各挟持用突部11は、その膨出先端部を垂直方向（対向面８の面方向と平行な方向）に面方向を有する平坦面形状に形成し、この平坦な膨出先端面23が前記縦葺屋根Ｒの重合凸条部３の根元部５の左右両側面に対して面接当接する構成としている。
【００４２】
また、各挟持用突部11は、その上側部と軒側部とを前記膨出先端面23の面方向と直交する方向に面方向を有する平坦面形状に形成することで、この平坦な上側面12と膨出先端面23との連設部と、軒側面24と膨出先端面23との連設部とが略直角な角部25（角縁部25）となるように構成している。即ち、挟持用突部11は、その上側と軒側とに角縁部25を有する構成としている。
【００４３】
従って、固定部６を重合凸条部３に挟持締付固定した状態で挟持用突部11が縦葺屋根Ｒの軒側（屋根勾配の下方側）へ移動しようとしたり上方へ移動しようとしたりした場合には、前記角縁部25が根元部５の左右側面部に喰い込み易くなり、これがクサビの役目を果たして軒側への移動にも上方への移動にも強固な抵抗力を発揮する（強固な位置決め効果を発揮する）構成としている。
【００４４】
また、この各挟持用突部11は、左右の挟持体７の夫々の下端部の外側板面を内方へ凹ませるように例えばプレス押圧加工することにより、この夫々の下端部の対向面８を対向内側へ膨出するように変形させた突起で構成している。即ち、挟持用突部11は、左右の挟持体７の下端部の板面に一体成形している（図７（ｂ）参照）。図中符号27は押圧痕（凹所）である。
【００４５】
また、本実施例では、各挟持用突部11の上部に、左右一対の挟持体７が前記重合凸条部３に対して上動した際に重合凸条部３の上部のハゼ締め部４Ａや嵌合部などの幅広接続部４に係止する係止部12を設けている。
【００４６】
具体的には、各挟持用突部11は、前述のように上部に略水平面となる前記上側面12を有する形状であるが、この上側面12を前記係止部12としている。
【００４７】
従って、この固定部６による縦葺屋根Ｒ上への固定状態において、ソーラーパネル１Ａに強風による大きな吹き上げ力が作用すると、固定部６を上方へ浮かせようとする力が作用するが、この作用により重合凸条部３の根元部５に当接している挟持用突部11が上動すると、この根元部５の上方に存する根元部５より厚み（横幅）のある重合凸条部３のハゼ締め部４Ａ（幅広接続部４）の下部に挟持用突部11上部の前記係止部12が係止してこれ以上は上動不能となり、これにより固定部６が重合凸条部３に対して上方へ抜脱不能となって重合凸条部３（縦葺屋根Ｒ）への固定状態が確固に保持される構成としている（図５参照。）。尚、この係止部12は、水平に対してやや傾斜した傾斜面に形成しても良い。
【００４８】
本実施例は、前記取付部２と前記固定部６とを、取付用基板15を利用して取付した構造としている。
【００４９】
具体的には、取付用基板15は、金属製の帯板をＬ字状に屈曲して軒側に配する前板部16とボルト取付板部17とが略直角に連設する形状に構成している。また、前板部16の下部には、前記重合凸条部３を逃げるための逃げ凹部26を形成し、取付用基板15のボルト取付板部17の略中心部には、前記取付部２を構成する取付ボルト13を上方へ向けて立設状態に固定している。
【００５０】
また、固定部６を構成する前記各挟持体７の軒側に配する前側端部を夫々対向外側に略直角に折曲してこの折曲板部を前記取付用基板15の前板部16の裏面部に重合する取付用板部18とし、この各取付用板部18と重合した前板部16とをリベット19とビス20（とナット21）で取付することにより、取付用基板15を介して取付部２と固定部６とを取付した構造としている。
【００５１】
また、一方の取付用板部18には長穴形状のビス通し穴23を設けて、ビス20を緩めることによって左右一対の挟持体７の対向間隔を広狭調整可能な構成としている。
【００５２】
尚、本発明は、本実施例に限られるものではなく、各構成要件の具体的構成は適宜設計し得るものである。
【００５３】
例えば、本実施例では、雪止め金具やソーラーパネル１Ａや融雪装置やそれらの取付具１Ｂなどの屋根上設置物１を取付し得る取付部２を備えた屋根用固定金具に適用した場合を示したが、取付部２ではなく雪止め用の羽根板部を備えた屋根用固定金具（雪止め）に適用しても良い。また、取付部２は、他の構成を採用しても良い。
【符号の説明】
【００５４】
１  屋根上設置物
１Ａ  ソーラーパネル
１Ｂ  取付具
２  取付部
３  重合凸条部
４  幅広接続部
４Ａ  ハゼ締め部
５  根元部
６  固定部
７  挟持体（板材）
８  対向面（対向板面）
９  締付ボルト
10  ナット
11  挟持用突部
12  係止部
25 角部
Ｒ  縦葺屋根
【図１】
0005200078.tif 000002
【図２】
0005200078.tif 000003
【図３】
0005200078.tif 000004
【図４】
0005200078.tif 000005
【図５】
0005200078.tif 000006
【図６】
0005200078.tif 000007
【図７】
0005200078.tif 000008